(57)【要約】【課題】  複数の取り外し可能な記憶媒体の状態をユーザにわかりやすく通知できるようにする。【解決手段】  取り外し可能な記憶媒体１１Ａ及び１１Ｂを取り付けることができる画像入力装置１０であって、前記取り外し可能な記憶媒体１１Ａが取り付けられる取り付け手段１０６Ａと、前記取り外し可能な記憶媒体１１Ｂが取り付けられる取り付け手段１０６Ｂと、複数の表示モードを有する表示手段１０７とを有し、前記取り外し可能な記憶媒体１１Ａの状態のみを表示するときは前記表示手段１０７を第１の表示モードに設定し、前記取り外し可能な記憶媒体１１Ｂの状態のみを表示するときは前記表示手段１０７を第２の表示モードに設定する画像入力装置１０を提供する。【選択図】  図１
2005260346.tif 000002
【特許請求の範囲】
【請求項１】
第１及び第２の取り外し可能な記憶媒体を取り付けることができる画像入力装置であって、
前記第１の取り外し可能な記憶媒体が取り付けられる第１の取り付け手段と、
前記第２の取り外し可能な記憶媒体が取り付けられる第２の取り付け手段と、
複数の表示モードを有する表示手段とを有し、
前記第１の取り外し可能な記憶媒体の状態のみを表示するときは前記表示手段を第１の表示モードに設定し、前記第２の取り外し可能な記憶媒体の状態のみを表示するときは前記表示手段を第２の表示モードに設定することを特徴とする画像入力装置。
【請求項２】
前記第１の取り外し可能な記憶媒体を前記画像入力装置から取り外すことを前記画像入力装置に指示する第１の取り外し手段と、
前記第２の取り外し可能な記憶媒体を前記画像入力装置から取り外すことを前記画像入力装置に指示する第２の取り外し手段とを更に有し、
前記第１の表示モードに対応する色を前記第１の取り外し手段に付し、前記第２の表示モードに対応する色を前記第２の取り外し手段に付すことを特徴とする請求項１に記載の画像入力装置。
【請求項３】
前記第１及び前記第２の取り外し可能な記憶媒体の状態を表示するときは前記表示手段を第３の表示モードに設定することを特徴とする請求項１又は２に記載の画像入力装置。
【請求項４】
第１及び第２の取り外し可能な記憶媒体を取り付けることができる画像入力装置であって、
前記第１の取り外し可能な記憶媒体が取り付けられる第１の取り付け手段と、
前記第１の取り外し可能な記憶媒体を前記画像入力装置から取り外すことを前記画像入力装置に指示する第１の取り外し手段と、
前記第１の取り外し可能な記憶媒体の状態に対応する表示モードを有する第１の表示手段とを有し、
前記第１の表示手段を前記第１の取り外し手段に配置することを特徴とする画像入力装置。
【請求項５】
前記第１の取り外し可能な記憶媒体に所定の空き領域が存在し、前記第１の取り外し可能な記憶媒体に画像データを書き込むときは前記表示手段を第１の表示モードに設定し、
前記第１の取り外し可能な記憶媒体に所定の空き領域が存在し、前記第１の取り外し可能な記憶媒体から画像データを読み出すときも前記表示手段を前記第１の表示モードに設定することを特徴とする請求項４に記載の画像入力装置。
【請求項６】
前記第１の取り外し可能な記憶媒体に所定の空き領域が存在せず、前記第１の取り外し可能な記憶媒体から画像データを読み出さないときは前記表示手段を第２の表示モードに設定し、
前記第１の取り外し可能な記憶媒体に所定の空き領域が存在せず、前記第１の取り外し可能な記憶媒体から画像データを読み出すときは前記表示手段を第３の表示モードに設定することを特徴とする請求項４又は５に記載の画像入力装置。
【請求項７】
前記第２の取り外し可能な記憶媒体が取り付けられる第２の取り付け手段と、
前記第２の取り外し可能な記憶媒体を前記画像入力装置から取り外すことを前記画像入力装置に指示する第２の取り外し手段と、
前記第２の取り外し可能な記憶媒体の状態に対応する表示モードを有する第２の表示手段とを更に有し、
前記第２の表示手段を前記第２の取り外し手段に配置することを特徴とする請求項４乃至６の何れかに記載の画像入力装置。
【請求項８】
前記第１の取り外し可能な記憶媒体に所定の空き領域が存在し、前記第１の取り外し可能な記憶媒体に画像データを書き込むときは前記表示手段を第１の表示モードに設定し、
前記第１の取り外し可能な記憶媒体に所定の空き領域が存在し、前記第１の取り外し可能な記憶媒体から画像データを読み出すときも前記表示手段を前記第１の表示モードに設定することを特徴とする請求項７に記載の画像入力装置。
【請求項９】
前記第１の取り外し可能な記憶媒体に所定の空き領域が存在せず、前記第１の取り外し可能な記憶媒体から画像データを読み出さないときは前記表示手段を第２の表示モードに設定し、
前記第１の取り外し可能な記憶媒体に所定の空き領域が存在せず、前記第１の取り外し可能な記憶媒体から画像データを読み出すときは前記表示手段を第３の表示モードに設定することを特徴とする請求項７又は８に記載の画像入力装置。
【発明の詳細な説明】
【技術分野】
【０００１】
本発明は、複数の取り外し可能な記憶媒体を取り付けることができる画像入力装置（デジタルカメラ、デジタルビデオカメラ、カメラ付き携帯電話等）に関する。
【背景技術】
【０００２】
現在、複数の取り外し可能な記憶媒体を取り付けることができるデジタルカメラが知られている（例えば、特許文献１）。
【特許文献１】特開平７−２３１４２０号公報
【発明の開示】
【発明が解決しようとする課題】
【０００３】
何れの取り外し可能な記憶媒体の状態（アクセス中であるか否か等）を知るためには、取り外し可能な記憶媒体のそれぞれに対応するアクセスランプ或いはこれに相当する表示手段が必要となる。
【０００４】
しかしながら、複数の取り外し可能な記憶媒体と複数のアクセスランプとの関係が明確でない場合、ユーザは何れのアクセスランプが何れの取り外し可能な記憶媒体に対応するのかを記憶しなければならず、扱いにくくなる。また、このような場合、デジタルカメラの小型化の妨げになる可能性もある。
【０００５】
そこで、本発明は、複数の取り外し可能な記憶媒体の状態をユーザにわかりやすく通知できるようにすることを目的とする。
【課題を解決するための手段】
【０００６】
本発明の画像入力装置の一つは、第１及び第２の取り外し可能な記憶媒体を取り付けることができる画像入力装置であって、前記第１の取り外し可能な記憶媒体が取り付けられる第１の取り付け手段と、前記第２の取り外し可能な記憶媒体が取り付けられる第２の取り付け手段と、複数の表示モードを有する表示手段とを有し、前記第１の取り外し可能な記憶媒体の状態のみを表示するときは前記表示手段を第１の表示モードに設定し、前記第２の取り外し可能な記憶媒体の状態のみを表示するときは前記表示手段を第２の表示モードに設定することを特徴とする。
【０００７】
本発明の画像入力装置の一つは、第１及び第２の取り外し可能な記憶媒体を取り付けることができる画像入力装置であって、前記第１の取り外し可能な記憶媒体が取り付けられる第１の取り付け手段と、前記第１の取り外し可能な記憶媒体を前記画像入力装置から取り外すことを前記画像入力装置に指示する第１の取り外し手段と、前記第１の取り外し可能な記憶媒体の状態に対応する表示モードを有する第１の表示手段とを有し、前記第１の表示手段を前記第１の取り外し手段に配置することを特徴とする。
【発明の効果】
【０００８】
本発明によれば、複数の取り外し可能な記憶媒体の状態をユーザにわかりやすく通知することができる。
【発明を実施するための最良の形態】
【０００９】
以下、図面を参照しながら本発明に好適な実施形態を説明する。
【００１０】
（１）第１の実施形態
まず、図１を参照し、第１の実施形態における画像入力装置を説明する。
【００１１】
図１において、１０は、画像入力装置の一例であるデジタルカメラである。第１の実施形態では、画像入力装置がデジタルカメラである場合を説明するが、それ以外の画像入力装置（デジタルビデオカメラ、カメラ付き携帯電話等）であってもよい。
【００１２】
１１Ａは、第１の取り外し可能な記憶媒体の一例であるメモリカードである。第１の実施形態では、不揮発性メモリを有するカード状の記憶媒体を「メモリカード」と呼ぶ。第１の実施形態では、第１の取り外し可能な記憶媒体がメモリカードである場合を説明するが、それ以外の記憶媒体（ハードディスク装置、磁気ディスク、光ディスク等）であってもよい。１１Ｂは、第２の取り外し可能な記憶媒体の一例であるメモリカードである。第１の実施形態では、第２の取り外し可能な記憶媒体がメモリカードである場合を説明するが、第２の取り外し可能な記憶媒体はそれ以外の記憶媒体（ハードディスク装置、磁気ディスク、光ディスク等）であってもよい。メモリカード１１Ｂは、メモリカード１１Ａと同じ規格に準拠したものであっても、異なる規格に準拠したものであってもよい。
【００１３】
１０１は、レンズユニット、イメージセンサ（ＣＣＤセンサ、ＣＭＯＳセンサ等）等を有し、撮像画像の画像データを撮影する撮像部である。１０２は、撮像部１０１で撮影された画像データを保持するメモリである。１０３は、メモリ１０２から供給された画像データに対して所定の画像処理、所定の画像圧縮処理を施す画像処理部である。また、画像処理部１０３は、メモリ１０２から供給された画像データの表示用画像データを生成する。１０４は、画像処理部１０３から供給された圧縮画像データ及び表示用画像データを保持するメモリである。１０５は、メモリ１０４が保持する表示用画像データを表示する液晶表示器（ＬＣＤ）である。
【００１４】
１０６Ａは、メモリカード１１Ａが取り付けられるカードスロット部である。カードスロット部１０６Ａは、デジタルカメラ１０の側面に配置されている。１０６Ｂは、メモリカード１１Ｂが取り付けられるカードスロット部である。カードスロット部１０６Ｂは、カードスロット部１０６Ａと同様に、デジタルカメラ１０の側面に配置されている。
【００１５】
１０７は、複数の色の光を発光するように構成されたアクセスランプ部である。第１の実施形態では、アクセスランプ部１０７を赤色、緑色又は橙色の光を発光できるように構成する。また、アクセスランプ部１０７は、非表示モード、第１の表示モード、第２の表示モード及び第３の表示モードを有する。非表示モードに設定されたとき、アクセスランプ部１０７は消灯する。第１の表示モードに設定されたとき、アクセスランプ部１０７はメモリカード１１Ａのみの状態を表示する。このとき、アクセスランプ部１０７は赤色の光を使用する。第２の表示モードに設定されたとき、アクセスランプ部１０７はメモリカード１１Ｂのみの状態を表示する。このとき、アクセスランプ部１０７は緑色の光を使用する。第３の表示モードに設定されたとき、アクセスランプ部１０７はメモリカード１１Ａ及び１１Ｂの状態を表示する。このとき、アクセスランプ部１０７は橙色の光を使用する。アクセスランプ部１０７はユーザに見えやすい位置に配置するのが好ましいため、第１の実施形態ではアクセスランプ部１０７をデジタルカメラ１０の背面（光学又は電子ビューファインダの表示面と同じ面）に配置する。
【００１６】
１０８は、デジタルカメラ１０の動作を制御する制御部である。１０９は、制御部１０８で実行される複数のプログラム（図３で説明する処理を制御するためのプログラムを含む）を記憶したプログラムメモリである。１１０は、ユーザからの指示を制御部１０８に入力する操作部である。操作部１１０は、デジタルカメラ１０の設定を変更するためのメニュー画面の表示を指示するメニューボタン、メニュー画面上のカーソルの上、下、右又は左への移動を指示する移動ボタン、画像の撮影を指示する撮影ボタン、電源をオン又はオフにする電源スイッチ等を有する。
【００１７】
次に、図２を参照し、カードスロット部１０６Ａ及び１０６Ｂの構成を説明する。
【００１８】
図２において、２１Ａは、メモリカード１１Ａをカードスロット部１０６Ａから取り外すことをデジタルカメラ１０に指示するイジェクトボタンである。２２Ｂは、メモリカード１１Ｂをカードスロット部１０６Ｂから取り外すことをデジタルカメラ１０に指示するイジェクトボタンである。
【００１９】
第１の実施形態では、第１の表示モードとイジェクトボタン２１Ａ及びカードスロット部１０６Ａとの関係をわかり易くするため、イジェクトボタン２１Ａ及びカードスロット部１０６Ａに第１の表示モードに対応する色（第１の実施形態では、赤色）を付す。同様に、第１の実施形態では、第２の表示モードとイジェクトボタン２１Ｂ及びカードスロット部１０６Ｂとの関係をわかり易くするため、イジェクトボタン２１Ｂ及びカードスロット部１０６Ｂに第２の表示モードに対応する色（第１の実施形態では、緑色）を付す。
【００２０】
次に、図３のフローチャートを参照し、複数の取り外し可能な記憶媒体の状態を表示するための処理を説明する。図３で説明する処理は、制御部１０８で実行されるプログラムに従って制御される処理である。
【００２１】
ステップＳ３０１：制御部１０８は、メモリカード１１Ａのみがアクセス中であるか否かを判定する。メモリカード１１Ａのみに一つ又は複数の圧縮画像データを書き込んでいる場合、又は、メモリカード１１Ａのみから一つ又は複数の圧縮画像データを読み出している場合、制御部１０８はメモリカード１１Ａのみがアクセス中であると判定する。メモリカード１１Ａのみがアクセス中であると判定した場合はステップＳ３０２に進む。
【００２２】
ステップＳ３０２：制御部１０８は、メモリカード１１Ａがアクセス中であることをユーザに通知するため、アクセスランプ部１０７を第１の表示モードに設定する。第１の表示モードに設定されたアクセスランプ部１０７は、赤色の光を点灯（或いは点滅）する。このように、メモリカード１１Ａのみがアクセス中であるときにはアクセスランプ部１０７をカードスロット部１０６Ａに付された色と同じ色で点灯（或いは点滅）させることができるので、メモリカード１１Ａのみがアクセス中であることをユーザにわかり易く通知することができる。
【００２３】
ステップＳ３０３：制御部１０８は、メモリカード１１Ｂのみがアクセス中であるか否かを判定する。メモリカード１１Ｂのみに一つ又は複数の圧縮画像データを書き込んでいる場合、又はメモリカード１１Ｂのみから一つ又は複数の圧縮画像データを読み出している場合、制御部１０８はメモリカード１１Ｂのみがアクセス中であると判定する。メモリカード１１Ｂのみがアクセス中であると判定した場合はステップＳ３０４に進む。
【００２４】
ステップＳ３０４：制御部１０８は、メモリカード１１Ｂがアクセス中であることをユーザに通知するため、アクセスランプ部１０７を第２の表示モードに設定する。第２の表示モードに設定されたアクセスランプ部１０７は、緑色の光を点灯（或いは点滅）する。このように、メモリカード１１Ｂのみがアクセス中であるときにはアクセスランプ部１０７をカードスロット部１０６Ｂに付された色と同じ色で点灯（或いは点滅）させることができるので、メモリカード１１Ｂのみがアクセス中であることをユーザにわかり易く通知することができる。
【００２５】
ステップＳ３０５：制御部１０８は、メモリカード１１Ａ及び１１Ｂがアクセス中であるか否かを判定する。メモリカード１１Ａ及び１１Ｂのそれぞれに一つ又は複数の圧縮画像データを書き込んでいる場合、メモリカード１１Ａ及び１１Ｂのそれぞれから一つ又は複数の圧縮画像データを読み出している場合、メモリカード１１Ａ内の一つ又は複数の圧縮画像データをメモリカード１１Ｂにコピー又は移動している場合、又は、メモリカード１１Ｂ内の一つ又は複数の圧縮画像データをメモリカード１１Ａにコピー又は移動している場合、制御部１０８はメモリカード１１Ａ及び１１Ｂがアクセス中であると判定する。メモリカード１１Ａ及び１１Ｂがアクセス中である判定した場合はステップＳ３０６に進む。
【００２６】
ステップＳ３０６：制御部１０８は、メモリカード１１Ａ及び１１Ｂがアクセス中であることをユーザに通知するため、アクセスランプ部１０７を第３の表示モードに設定する。第３の表示モードに設定されたアクセスランプ部１０７は、橙色の光を点灯（或いは点滅）する。このように、メモリカード１１Ａ及び１１Ｂがアクセス中であるときにはアクセスランプ部１０７をカードスロット部１０６Ａ及び１０６Ｂに付された色とは異なる色で点灯（或いは点滅）させることができるので、メモリカード１１Ａ及び１１Ｂがアクセス中であることをユーザにわかり易く通知することができる。
【００２７】
ステップＳ３０７：制御部１０８は、メモリカード１１Ａ及び１１Ｂがアクセス中でないこと（言い替えれば、待機状態であること）をユーザに通知するため、アクセスランプ部１０７を非表示モードに設定する。非表示モードに設定されたアクセスランプ部１０７は、赤色、緑色又は橙色の光を消灯する。
【００２８】
ステップＳ３０８：制御部１０８は、電源がオフにされたか否かを判定する。電源がオフにされていないと判定した場合はステップＳ３０１に進む。
【００２９】
このように、第１の実施形態によれば、複数の取り外し可能な記憶媒体の状態を複数の色の光で通知することができるので、複数の取り外し可能な記憶媒体の状態をユーザにわかり易く通知することができる。
【００３０】
また、第１の実施形態によれば、複数の取り外し可能な記憶媒体の状態を一つのアクセスランプ部を用いて表示することができるので、画像入力装置を小型に構成することもできる。
【００３１】
また、第１の実施形態によれば、何れの取り外し可能な記憶媒体がアクセス中であるのかをユーザに視覚的に通知することができるので、アクセス中の記憶媒体を誤って取り出してしまう事故を未然に防止することもできる。
【００３２】
なお、本発明は、第１の実施形態で説明した構成に限るものではない。例えば、本発明は、２つ以上の取り外し可能な記憶媒体を取り付けることができる画像入力装置にも適用することができる。また、本発明は、赤色、緑色及び橙色の組み合わせ以外の色の組み合わせを表示することができる画像入力装置にも適用することができる。
【００３３】
（２）第２の実施形態
第１の実施形態では、複数の取り外し可能な記憶媒体の状態を一つの表示手段を用いて表示する実施形態を説明した。
【００３４】
これに対し、第２の実施形態では、複数の取り外し可能な記憶媒体の状態を複数の表示手段を用いて表示する実施形態を説明する。
【００３５】
まず、図４を参照し、第２の実施形態における画像入力装置を説明する。
【００３６】
図４において、４０は、画像入力装置の一例であるデジタルカメラである。第２の実施形態では、画像入力装置がデジタルカメラである場合を説明するが、それ以外の画像入力装置（デジタルビデオカメラ、カメラ付き携帯電話等）であってもよい。
【００３７】
４１Ａは、第１の取り外し可能な記憶媒体の一例であるメモリカードである。第２の実施形態では、不揮発性メモリを有するカード状の記憶媒体を「メモリカード」と呼ぶ。第２の実施形態では、第１の取り外し可能な記憶媒体がメモリカードである場合を説明するが、それ以外の記憶媒体（ハードディスク装置、磁気ディスク、光ディスク等）であってもよい。４１Ｂは、第２の取り外し可能な記憶媒体の一例であるメモリカードである。第２の実施形態では、第２の取り外し可能な記憶媒体がメモリカードである場合を説明するが、第２の取り外し可能な記憶媒体はそれ以外の記憶媒体（ハードディスク装置、磁気ディスク、光ディスク等）であってもよい。メモリカード４１Ｂは、メモリカード４１Ａと同じ規格に準拠したものであっても、異なる規格に準拠したものであってもよい。
【００３８】
４０１は、レンズユニット、イメージセンサ（ＣＣＤセンサ、ＣＭＯＳセンサ等）等を有し、撮像画像の画像データを撮影する撮像部である。４０２は、撮像部４０１で撮影された画像データを保持するメモリである。４０３は、メモリ４０２から供給された画像データに対して所定の画像処理、所定の画像圧縮処理を施す画像処理部である。また、画像処理部４０３は、メモリ４０２から供給された画像データの表示用画像データを生成する。４０４は、画像処理部４０３から供給された圧縮画像データ及び表示用画像データを保持するメモリである。４０５は、メモリ４０４が保持する表示用画像データを表示する液晶表示器（ＬＣＤ）である。
【００３９】
４０６Ａは、メモリカード４１Ａが取り付けられるカードスロット部である。カードスロット部４０６Ａは、デジタルカメラ４０の側面に配置されている。４０６Ｂは、メモリカード４１Ｂが取り付けられるカードスロット部である。カードスロット部４０６Ｂは、カードスロット部４０６Ａと同様に、デジタルカメラ４０の側面に配置されている。
【００４０】
４０８は、デジタルカメラ４０の動作を制御する制御部である。４０９は、制御部４０８で実行される複数のプログラム（図５で説明する処理を制御するためのプログラムを含む）を記憶したプログラムメモリである。４１０は、ユーザからの指示を制御部４０８に入力する操作部である。操作部４１０は、デジタルカメラ４０の設定を変更するためのメニュー画面の表示を指示するメニューボタン、メニュー画面上のカーソルの上、下、右又は左への移動を指示する移動ボタン、画像の撮影を指示する撮影ボタン、電源をオン又はオフにする電源スイッチ等を有する。
【００４１】
次に、図５を参照し、カードスロット部４０６Ａ及び４０６Ｂの構成を説明する。
【００４２】
図５において、５１Ａは、メモリカード４１Ａをカードスロット部４０６Ａから取り外すことをデジタルカメラ４０に指示するイジェクトボタンである。５２Ｂは、メモリカード４１Ｂをカードスロット部４０６Ｂから取り外すことをデジタルカメラ４０に指示するイジェクトボタンである。
【００４３】
５２Ａ及び５２Ｂは、複数の色の光を発光するように構成されたアクセスランプ部である。第２の実施形態では、アクセスランプ部５２Ａ及び５２Ｂを赤色、緑色又は橙色の光を発光できるように構成する。また、第２の実施形態では、アクセスランプ部５２Ａとメモリカード４１Ａとの関係をわかり易くするため、アクセスランプ部５２Ａをイジェクトボタン５１Ａの先端部に配置する。同様に、第２の実施形態では、アクセスランプ部５２Ｂとメモリカード４１Ｂとの関係をわかり易くするため、アクセスランプ部５２Ｂをイジェクトボタン５１Ｂの先端部に配置する。アクセスランプ部５２Ａはメモリカード４１Ａの状態を表示する第１、第２及び第３の表示モードを有し、アクセスランプ部５２Ｂもメモリカード４１Ｂの状態を表示する第１、第２及び第３の表示モードを有する。第１の表示モードは赤色の光を使用する表示モードであり、第２の表示モードは緑色の光を使用する表示モードであり、第３の表示モードは橙色の光を使用する表示モードである。また、アクセスランプ部５２Ａ及び５２Ｂは、非表示モードを有する。非表示モードに設定されたとき、アクセスランプ部５２Ａ及び５２Ｂは消灯する。
【００４４】
次に、図６のフローチャートを参照し、一つの取り外し可能な記憶媒体の状態を表示するための処理を説明する。図６で説明する処理は、メモリカード４１Ａ及び４１Ｂの何れに対しても実行される処理である。第２の実施形態では、図６を用いてメモリカード４１Ａの状態を表示する場合を説明する。また、図６で説明する処理は、制御部４０８で実行されるプログラムに従って制御される処理である。
【００４５】
ステップＳ６０１：制御部４０８は、メモリカード４１Ａがアクセス中であるかを判定する。メモリカード４１Ａがアクセス中であると判定した場合はステップＳ６０２に進み、メモリカード４１Ａがアクセス中でないと判定した場合はステップＳ６０８に進む。
【００４６】
ステップＳ６０２：制御部４０８は、メモリカード４１Ａがアクセス中でないこと（言い替えれば、待機状態であること）をユーザに通知するため、アクセスランプ部５２Ａを非表示モードに設定する。非表示モードに設定されたアクセスランプ部５２Ａは、赤色、緑色又は橙色の光を消灯する。
【００４７】
ステップＳ６０３：制御部４０８は、メモリカード４１Ａに所定サイズの空き領域が存在するか否かを判定する。所定サイズの空き領域が存在すると判定した場合はステップＳ６０５に進み、所定サイズの空き領域が存在しないと判定した場合はステップＳ６０４に進む。
【００４８】
ステップＳ６０４：制御部４０８は、アクセスランプ部５２Ａを第１の表示モードに設定する。第１の表示モードに設定されたアクセスランプ部５２Ａは、赤色の光を点灯（或いは点滅）する。つまり、所定サイズの空き領域を有するメモリカード４１Ａがアクセス中であることをユーザに通知するため、制御部４０８はアクセスランプ部５２Ａに赤色の光を点灯（或いは点滅）させる。
【００４９】
ステップＳ６０５：制御部４０８は、メモリカード４１Ａが読み出し中であるか否かを判定する。メモリカード４１Ａが読み出し中でないと判定した場合はステップＳ６０６に進み、メモリカード４１Ａが読み出し中であると判定した場合はステップＳ６０７に進む。
【００５０】
ステップＳ６０６：制御部４０８は、アクセスランプ部５２Ａを第２の表示モードに設定する。第２の表示モードに設定されたアクセスランプ部５２Ａは、緑色の光を点灯（或いは点滅）する。つまり、メモリカード４１Ａが所定サイズの空き領域を有さない状態であることをユーザに通知するため、制御部４０８はアクセスランプ部５２Ａに緑色の光を点灯（或いは点滅）させる。
【００５１】
ステップＳ６０７：制御部４０８は、アクセスランプ部５２Ａを第３の表示モードに設定する。第３の表示モードに設定されたアクセスランプ部５２Ａは、橙色の光を点灯（或いは点滅）する。つまり、所定サイズの空き領域を有さないメモリカード４１Ａが読み出し中であることをユーザに通知するため、制御部４０８はアクセスランプ部５２Ａに橙色の光を点灯（或いは点滅）させる。
【００５２】
ステップＳ６０８：制御部４０８は、電源がオフにされたか否かを判定する。電源がオフにされていないと判定した場合はステップＳ６０１に進む。
【００５３】
このように、第２の実施形態によれば、複数のアクセスランプ部を複数のイジェクトボタンの先端部に配置したので、複数の取り外し可能な記憶媒体の状態をユーザにわかり易く通知することができる。また、このような構成にしたので、画像入力装置を小型に構成することが可能である。
【００５４】
また、第２の実施形態によれば、何れの取り外し可能な記憶媒体がアクセス中であるのかをユーザに視覚的に通知することができるので、アクセス中の記憶媒体を誤って取り出してしまう事故を未然に防止することもできる。
【００５５】
なお、本発明は、第２の実施形態で説明した構成に限るものではない。例えば、本発明は、２つ以上の取り外し可能な記憶媒体を取り付けることができる画像入力装置にも適用することができる。また、本発明は、赤色、緑色及び橙色の組み合わせ以外の色の組み合わせを表示することができる画像入力装置にも適用することができる。
【図面の簡単な説明】
【００５６】
【図１】本発明に好適な第１の実施形態における画像入力装置の主要な構成要素を示す図である。
【図２】複数のカードスロット部の周辺の構成を示す図である。
【図３】複数の取り外し可能な記憶媒体の状態を表示するための処理を説明するフローチャートである。
【図４】本発明に好適な第２の実施形態における画像入力装置の主要な構成要素を示す図である。
【図５】複数のカードスロット部の周辺の構成を示す図である。
【図６】一つの取り外し可能な記憶媒体の状態を表示するための処理を説明するフローチャートである。
【符号の説明】
【００５７】
１０  画像入力装置
１１Ａ、１１Ｂ  メモリカード
１０１  撮像部
１０２、１０４  メモリ
１０３  画像処理部
１０５  液晶表示器
１０６Ａ、１０６Ｂ  カードスロット部
１０７  アクセスランプ部
１０８  制御部
１０９  プログラムメモリ
１１０  操作部
２１Ａ、２２Ｂ  イジェクトボタン
４０  画像入力装置
４１Ａ、４１Ｂ  メモリカード
４０１  撮像部
４０２、４０４  メモリ
４０３  画像処理部
４０５  液晶表示器
４０６Ａ、４０６Ｂ  カードスロット部
４０８  制御部
４０９  プログラムメモリ
４１０  操作部
５１Ａ、５２Ｂ  イジェクトボタン
５１Ａ、５２Ｂ  アクセスランプ部
【図１】
2005260346.tif 000003
【図２】
2005260346.tif 000004
【図３】
2005260346.tif 000005
【図４】
2005260346.tif 000006
【図５】
2005260346.tif 000007
【図６】
2005260346.tif 000008